(57)【要約】【課題】交流型プラズマディスプレイパネルの画像の動的偽輪郭を低減する方法及びシステムを提供する。【解決手段】該方法は、各フレーム画像を複数のサブフィールドに分割するステップと、各フレーム画像において画像の動的偽輪郭が発生する量及び確率を統計するステップと、統計結果に基づいて、各フレーム画像のピクセルデータに最適化エンコードを行い、最適化エンコードによる誤差が存在する場合、最適化エンコードによる誤差を近隣のピクセルに拡散させるステップと、を含む。【選択図】図１
2011504609.tif 000002
【特許請求の範囲】
【請求項１】
各フレーム画像を複数のサブフィールドに分割するステップと、
前記各フレーム画像において画像の動的偽輪郭が発生する量及び確率を統計するステップと、
統計結果に基づいて、各前記フレーム画像のピクセルデータに最適化エンコードを行い、最適化エンコードによる誤差が存在する場合、最適化エンコードによる誤差を近隣のピクセルに拡散させるステップと、を含む
ことを特徴とする交流型プラズマディスプレイの画像の動的偽輪郭を低減する方法。
【請求項２】
階調データコードが１である最大のサブフィールドがｎであるとし、１〜ｎ番目のサブフィールドの階調データコードを全て１に設定するピクセルデータの最適化エンコード方法に従って、前記各フレーム画像のピクセルデータに対し、最適化エンコードを行う
ことを特徴とする請求項１に記載の方法。
【請求項３】
階調データコードが１である最大のサブフィールドがｎであるとし、１〜ｎ番目のサブフィールドにおける、階調データコードが０であるサブフィールドを除くその他のサブフィールドの階調データコードを全て１に設定するピクセルデータの最適化エンコード方法に従って、前記各フレーム画像のピクセルデータに対し、最適化エンコードを行う
ことを特徴とする請求項１に記載の方法。
【請求項４】
階調データコードが０又は１である最大のサブフィールドがｎであるとし、１〜ｎ番目のサブフィールドにおける、階調データコードが０であるサブフィールドを除くその他のサブフィールドの階調データコードを全て１に設定するピクセルデータの最適化エンコード方法に従って、前記各フレーム画像のピクセルデータに対し、最適化エンコードを行う
ことを特徴とする請求項１に記載の方法。
【請求項５】
階調データコードが１であるサブフィールドは点灯状態のサブフィールドであり、階調データコードが０であるサブフィールドは非点灯状態のサブフィールドである
ことを特徴とする請求項２乃至４のいずれかに記載の方法。
【請求項６】
前記各フレーム画像が対応する最適化エンコード規約に符合する階調データコードを有しない場合、階調レベル＝近隣の階調レベル＋階調変換誤差のような形式に従って、前記各フレーム画像の階調レベルを変換し、前記階調変換誤差を近隣のピクセルに拡散させる
ことを特徴とする請求項５に記載の方法。
【請求項７】
計算を経て、１フレーム画像とその前の１フレーム画像との発光モードを比較することにより、フレーム画像の偽輪郭を検出する動的偽輪郭検出装置と、
予定の閾値と前記動的偽輪郭検出装置による検出結果とを比較し、前記フレーム画像のピクセルデータの最適化エンコード方法を確定することにより、前記フレーム画像のピクセルデータを最適化する閾値コンパレータと、を備える
ことを特徴とする交流型プラズマディスプレイの画像の動的偽輪郭を低減するシステム。
【請求項８】
階調データコードが１である最大のサブフィールドがｎであるとし、１〜ｎ番目のサブフィールドの階調データコードを全て１に設定するピクセルデータの最適化エンコード方法に従って、前記フレーム画像のピクセルデータに対し、最適化エンコードを行う
ことを特徴とする請求項７に記載のシステム。
【請求項９】
階調データコードが１である最大のサブフィールドがｎであるとし、１〜ｎ番目のサブフィールドにおける階調データコードが０であるサブフィールドを全て１に設定し、又は全てのサブフィールドを１に設定すると共に、０であるサブフィールドコードを一つ保留し、更に、保留される０であるサブフィールドの位置は、階調コードの最適化を行った後の階調値と最適化する前の階調値との差が最小であることを満たすピクセルデータの最適化エンコード方法に従って、前記フレーム画像のピクセルデータに最適化エンコードを行う
ことを特徴とする請求項７に記載のシステム。
【請求項１０】
階調データコードが１である最大のサブフィールドがｎであるとし、１〜ｎ番目のサブフィールドにおける階調データコードが０であるサブフィールドを全て１に設定し、又は全てのサブフィールドを１に設定すると共に、０であるサブフィールドコードを一つ又は二つ保留し、更に、保留される０であるサブフィールドの位置は、階調コードの最適化を行った後のその階調値と最適化する前の階調値との差が最小であることを満たすピクセルデータの最適化エンコード方法に従って、前記フレーム画像のピクセルデータに最適化エンコードを行う
ことを特徴とする請求項７に記載のシステム。
【請求項１１】
階調データコードが１であるサブフィールドは点灯状態のサブフィールドであり、階調データコードが０であるサブフィールドは非点灯状態のサブフィールドである
ことを特徴とする請求項８乃至１０のいずれかに記載のシステム。
【請求項１２】
前記フレーム画像が対応するピクセルデータの最適化エンコード方法に適合する階調データコードを有しない場合、階調レベル＝近隣の階調レベル＋階調変換誤差のような形式に従って、前記フレーム画像の階調レベルを変換し、階調変換誤差を近隣のピクセルに拡散させる誤差拡散装置を更に備える
ことを特徴とする請求項１１に記載のシステム。
【発明の詳細な説明】
【技術分野】
【０００１】
本発明は、ディスプレイに関し、具体的には、交流型プラズマディスプレイの動的輪郭（ｄｙｎａｍｉｃ  ｃｏｎｔｏｕｒ）を低減させる方法に関する。
【背景技術】
【０００２】
交流型プラズマディスプレイ（ＡＣ−ＰＤＰ）は、複数のサブフィールドの表示技術を用い、画像の多階調（ｍｕｌｔｉｐｌｅ  ｇｒａｙｓｃａｌｅ  ｌｅｖｅｌｓ）表示を実現する。異なるサブフィールドは異なる重みを持つ（異なるサブフィールドの維持パルス量が異なってくることにより示される）。重みが異なるサブフィールドの組合せにより、多階調の画像が表示される。
【０００３】
人間の眼の生理特性は物体の動きに従って移動し、一方、視覚の積分動作によって、複数のサブフィールドの表示技術には動画像における偽輪郭の問題が存在している。画像及び色彩に対する人間の眼の感応は、一定時間内における色彩及び輝度の積分である。従って、複数のサブフィールドにより、画像の多階調レベルが実現される場合、動画像において、画像の一部が明るくなったり暗くなったりするような現象が現れるが、動画像が停止されると、該現象は消えてしまう。このような明るくなったり暗くなったりするような現象は動的偽輪郭現象（ｄｙｎａｍｉｃ  ｆａｌｓｅ  ｃｏｎｔｏｕｒ  ｐｈｅｎｏｍｅｎｏｎ）と呼ばれる。動的偽輪郭現象は、表示技術における原理上の問題であり、以下、更に詳しく説明する。
【０００４】
１フィールドの画像を、重みが夫々１、２、４、８、１６、３２、６４、１２８であるＳＦ１、ＳＦ２、ＳＦ３、ＳＦ４、ＳＦ５、ＳＦ６、ＳＦ７、ＳＦ８の８個のサブフィールドに分割する。１枚の像が左から右へと移動し、動画像に１２７と１２８との二つの階調レベルがあると仮定する。サブフィールドの重みが上記のようである場合、階調レベル（ｇｒａｙｓｃａｌｅ  ｌｅｖｅｌ）１２７に対するエンコードを１１１１１１１０とし、階調レベル１２８に対するエンコードを０００００００１とする。階調レベルが１２７から１２８へと移行する場合、表示階調が１２７である８番目のサブフィールドは非点灯状態であり、階調が１２８である１、２、３、４、５、６、７番目のサブフィールドも非点灯状態である。従って、階調が１２７であるサブフィールドの表示順は１番目のサブフィールド、２番目のサブフィールド、…、８番目のサブフィールドである。そうすると、８番目のサブフィールドの後は、非点灯状態であり、１２８の表示階調に移行した１、２、３、４、５、６、７番目のサブフィールドも依然として非点灯状態であるため、図３に示すように、階調１２７の８番目のサブフィールド以上から階調１２８の７番目のサブフィールドまでにおいて、画像に対する人間の眼の階調の積分は０であり、ダークストライプが現れる。同様の理由によって、画像が左から右へと移動する場合、ブライトストライプも現れるようになる。このようなダークストライプ及びブライトストライプが動的偽輪郭である。
【０００５】
上述の原理から分かるように、動的偽輪郭は画像のフレーム間で発生し、隣り合うフレーム間の階調の移行により、人間の眼は複数回積分する。人間の眼によって感じられる輝度が１フィールドの時間におけるの積分結果であると仮定する。図２に示すように、サブフィールドが８個である場合、隣り合うフィールドの異なる階調への変換期間において、人間の眼は８回積分し、毎回一つの階調レベルを感知し、この８回において感知された階調レベルが表示階調レベルから大幅に離れると、人間の眼は動的偽輪郭を感じるようになる。例えば、１２７から１２８へと移行する場合、１番目のサブフィールドから８番目のサブフィールドまでの排列順で従い、１１１１１１１０と０００００００１とにエンコードされ、グラフィックで８回積分した結果は夫々１２７、６３、３１、１５、７、３、１、０、１２８である。該過程において、積分結果が０である場合、表示階調レベルから大きく離れるため、人間の眼は動的偽輪郭を感じるようになる。そのため、如何に画像の動的偽輪郭を検出し、階調コードに対応する最適化対策をとるかは、画質を改善するに当たって、非常に重要な役割を果たすこととなる。
【発明の開示】
【発明が解決しようとする課題】
【０００６】
本発明は、交流型プラズマディスプレイの画像の偽輪郭を低減するための交流型プラズマディスプレイの画像の動的偽輪郭を低減させる方法及びシステムを提供することを目的とする。
【課題を解決するための手段】
【０００７】
本発明の実施例による交流型プラズマディスプレイの画像の動的偽輪郭を低減する方法は、各フレーム画像を複数のサブフィールドに分割するステップと、各フレーム画像において画像の動的偽輪郭が発生する量及び確率を統計するステップと、統計結果に基づいて、各フレーム画像のピクセルデータに最適化エンコードを行い、最適化エンコードによる誤差が存在する場合、最適化エンコードによる誤差を近隣のピクセルに拡散させるステップと、を含む。
【０００８】
ここで、以下のようなピクセルデータの最適化エンコード方法に従って、各フレーム画像のピクセルデータに対し、最適化エンコードを行う：階調データコードが１である最大のサブフィールドがｎであるとし、１〜ｎ番目のサブフィールドの階調データコードを全て１に設定し；階調データコードが１である最大のサブフィールドがｎであるとし、１〜ｎ番目のサブフィールドにおける階調データコードが０であるサブフィールドを除くその他のサブフィールドの階調データコードを全て１に設定し；階調データコードが０又は１である最大のサブフィールドがｎであるとし、１〜ｎ番目のサブフィールドにおける階調データコードが０であるサブフィールドを除くその他のサブフィールドの階調データコードを全て１に設定する。
【０００９】
上記において、階調データコードが１であるサブフィールドは点灯状態のサブフィールドであり、階調データコードが０であるサブフィールドは非点灯状態のサブフィールドである。
【００１０】
ここで、各フレーム画像が対応する最適化エンコード規約に符合する階調データコードを有しない場合、階調レベル＝近隣の階調レベル＋階調変換誤差のような形式に従って、各フレーム画像の階調レベルを変換し、階調変換誤差を近隣のピクセルに拡散させる。
【００１１】
本発明の実施例による交流型プラズマディスプレイの画像の動的偽輪郭を低減するシステムは、計算を経て、１フレーム画像とその前の１フレーム画像との発光モードを比較することにより、フレーム画像の偽輪郭を検出する動的偽輪郭検出装置と、予定の閾値と動的偽輪郭検出装置による検出結果とを比較し、フレーム画像のピクセルデータの最適化エンコード方法を確定することにより、フレーム画像のピクセルデータを最適化する閾値コンパレータと、を含む。
【００１２】
また、以下のようなピクセルデータの最適化エンコード方法により、フレーム画像のピクセルデータに対し、最適化エンコードを行う：階調データコードが１である最大のサブフィールドがｎであるとし、１〜ｎ番目のサブフィールドの階調データコードを全て１に設定し；階調データコードが１である最大のサブフィールドがｎであるとし、１〜ｎ番目のサブフィールドにおける階調データコードが０であるサブフィールドを全て１に設定し、又は全てのサブフィールドを全て１に設定すると共に、０であるサブフィールドコードを一つ保留し、更に、保留される０であるサブフィールドの位置は、階調コードの最適化を行った後の階調値（ｇｒａｙｓｃａｌｅ  ｖａｌｕｅ）と最適化する前の階調値との差が最小であり；階調データコードが１である最大のサブフィールドがｎであるとし、１〜ｎ番目のサブフィールドにおける階調データコードが０であるサブフィールドを全て１に設定し、又は全てのサブフィールドを１に設定すると共に、０であるサブフィールドコードを一つ又は二つ保留し、更に、保留される０であるサブフィールドの位置は、階調コードの最適化を行った後のその階調値と最適化する前の階調値との差が最小であることを満たすものである。
【００１３】
ここで、階調データコードが１であるサブフィールドは点灯状態のサブフィールドであり、階調データコードが０であるサブフィールドは非点灯状態のサブフィールドである。
【００１４】
本発明の実施例による交流型プラズマディスプレイの画像の動的偽輪郭を低減するシステムは、フレーム画像が対応するピクセルデータの最適化エンコード方法に適合する階調データコードを有しない場合、階調レベル＝近隣の階調レベル＋階調変換誤差のような形式に従って、フレーム画像の階調レベルを変換し、階調変換誤差を近隣のピクセルに拡散させる誤差拡散装置を更に備える。
【００１５】
動的偽輪郭の積分発生メカニズムに応じて、コード１１１０００００と１１１１１１００（１〜８目のサブフィールドの排列）と間での移行は偽輪郭を抑制することができる。本発明は、フレーム画像の階調データコードを最適化することによって、動的偽輪郭の表示を抑制する。
図面は、本発明を更に理解するためのものであり、明細書の一部を構成する。また、本発明の実施例と共に本発明を解釈するものであり、本発明を限定するものではない。
【図面の簡単な説明】
【００１６】
【図１】図１は、本発明の実施例に係る交流型プラズマディスプレイの画像の動的偽輪郭を低減する方法を示すフローチャートである。
【図２】図２は、本発明の実施例に係る交流型プラズマディスプレイの画像の動的偽輪郭を低減するシステムにおける全体的な動作原理を示す図である。
【図３】図３は、階調の移行に対する人間の眼による階調積分を示す図である。
【図４】図４は、１２７の階調から１２８の階調へ移行する際の人間の眼による積分結果の変化を示す曲線図である。
【図５】図５は、本発明の実施例に係る誤差拡散を示す図である。
【図６】図６は、本発明の実施例に係る誤差加算を示す図である。
【発明を実施するための形態】
【００１７】
以下、図面を参照し、本発明の具体的実施形態を詳しく説明する。
図１を参照し、本発明の実施例に係る交流型プラズマディスプレイの画像の動的偽輪郭を低減する方法を説明する。図１に示すように、該方法は、各フレーム画像を複数のサブフィールドに分割するステップＳ１０２と、各フレーム画像において、画像の動的偽輪郭が発生する量及び確率を統計するステップＳ１０４と、統計の結果に基づいて、各フレーム画像のピクセルデータに対し、最適化エンコードを行い、最適化エンコードによる誤差が存在する場合、最適化エンコードによる誤差を近隣のピクセルに拡散させるステップＳ１０６と、を含む。
【００１８】
その中、以下のような三つのピクセルデータの最適化エンコード方法に従って、フレーム画像のピクセルデータに対し、最適化エンコードを行う：
（１）階調データコードが１である最大のサブフィールドがｎであるとし、１〜ｎ番目のサブフィールドの階調データコードは全て１に設定する。即ち、フレーム画像の階調データコードの１〜ｎ桁目は全て１である。
【００１９】
（２）階調データコードが１である最大のサブフィールドがｎであるとし、１〜ｎ番目のサブフィールドにおいて、階調データコードが０であるサブフィールドを除くその他のサブフィールドの階調データコードは全て１に設定する。即ち、フレーム画像の階調データコードの１〜ｎ桁目において、一つが０値であるほか、全て１である。
【００２０】
（３）階調データコードの最大のサブフィールドがｎであるとし、１〜ｎ番目のサブフィールドにおいて、階調データコードが０であるサブフィールドを除くその他のサブフィールドの階調データコードは全て１に設定する。即ち、フレーム画像の階調データコードの１〜ｎ桁目において、二つが０値であるほか、全て１である。
【００２１】
その中、階調データコードが１であるサブフィールドは点灯状態のサブフィールドであり、階調データコードが０であるサブフィールドは非点灯状態のサブフィールドである。
【００２２】
ピクセルデータの最適化エンコード方法（１）は、上記のコーディング・スキーム（１）に従って、異なる階調レベルの全ての可能なコードを選択する。該階調レベルに（１）のコーディング・スキームに符合するコード形式が存在すると、該コード形式を該階調レベルの表示コードとし、存在しない場合、該階調レベルを（１）のコード形式を有する近隣の階調レベルに変換し、表示コードにコーディングする。その変換形式は、階調レベル＝近隣の階調レベル＋階調変換誤差となる。表示階調を出力し、階調変換誤差が存在すると、図５に示す方法により、拡散させる。
【００２３】
ピクセルデータの最適化エンコード方法（２）は、上記のコーディング・スキーム（１）、（２）に従って、異なる階調レベルの全ての可能なコードを選択する。該階調レベルに（１）のコーディング・スキームに符合するコード形式が存在すると、該コード形式を該階調レベルの表示コードとする。そうでない場合、全てのコード形式の中に（２）のコーディング・スキームに符合するのがあるか否か検索する。ある階調レベルに二つのコーディング・スキームに符合するコードがいずれも存在しないと、該階調レベルを上記の二つのコード形式を有する近隣の階調レベルに変換し、表示コードにコーディングする。その変換形式は、階調レベル＝近隣の階調レベル＋階調変換誤差となる。表示階調を出力し、階調変換誤差が存在すると、図５に示す方法により、拡散させる。
【００２４】
ピクセルデータの最適化エンコード方法（３）は、上記のコーディング・スキーム（１）、（２）、（３）に従って、異なる階調レベルの全ての可能なコードを選択する。該階調レベルに（１）のコーディング・スキームに符合するコード形式が存在すると、該コード形式を該階調レベルの表示コードとする。そうでない場合、全てのコード形式の中に（２）のコーディング・スキームに符合するのがあるか否か検索し、また、そうでない場合、全てのコード形式の中に（３）のコーディング・スキームに符合するのがあるか否か検索する。ある階調レベルに三つのコーディング・スキームに符合するコードがいずれも存在しないと、該階調レベルを上記の三つのコード形式を有する近隣の階調レベルに変換し、表示コードにコーディングする。その変換形式は、階調レベル＝近隣の階調レベル＋階調変換誤差となる。表示階調を出力し、階調変換誤差が存在すると、図５に示す方法により、拡散させる。
【００２５】
図２に、上記の方法を実現するためのシステムを示す。その中、入力されたフレーム画像データに対し、その前のフレーム画像データと計算を行って動的偽輪郭を検出する一方、その後のフレーム画像と計算を行うように、フレーム・ストレージに格納する。よって、二つのフレーム・ストレージによってピンポン格納作業（ｐｉｎｇ−ｐｏｎｇ  ｓｔｏｒａｇｅ  ｏｐｅｒａｔｉｏｎ）を行う必要がある。先ず、１フィールドの画像データを入力した後、フレーム・ストレージ１に格納すると共に、動的偽輪郭検出装置に入力する。同時に、その他のフレーム・ストレージ２から前の１フィールドの画像データを読み出すと共に動的偽輪郭検出装置に入力する。動的偽輪郭検出装置の検出計算の原則は下記のようである。即ち、動的偽輪郭の検出はフィールドの画像を単位として行い、フィールドの画像の検出式は以下の通りである。
【数１】
2011504609.tif 000003
【００２６】
ここで、Ｄ（ｆｒａｍｅ）はフィールド画像の最終検出値で、Ｘ、Ｙはフィールド画像のピクセル座標であり、ｉ、ｊは夫々隣接するフィールドにおいて表示する階調レベルを示す。その中、ｉは、現フィールドが表示する階調レベルであって、ｊは、前のフィールドが表示する階調レベルを示す。そして、ＳＰは、既に確定したサブフィールドの重みのベクトルを示し、Ｂｉ、Ｂｊは、夫々輝度レベルｉ、ｊのサブフィールドベクトルＳＰにおける対応するサブフィールドのエンコードベクトルを示す。Ｎは、交流型プラズマディスプレイにおける各フレーム画像に実際に表示される行数を示し、Ｍは、交流型プラズマディスプレイの各行に実際に表示されるサブピクセル量を示し、Ｒ、Ｇ、Ｂの三つの基本色は互いに独立している。
【００２７】
予定の閾値とＤ（ｆｒａｍｅ）計算値とを比較し、どの階調検索テーブルを利用するかを確定する。本発明による実施例において、三つの最適化エンコード方法の三つの階調検索テーブルが設定されている。その中、階調検索テーブルは以下のように設定される：
階調検索テーブル（ａ）は、０〜２５５の階調レベルのコードを有する。
【００２８】
階調検索テーブル（ｂ）は、以下のようにエンコードした階調レベルを選択する：
（１）階調データコードが１である最大のサブフィールドがｎであると、１〜ｎ番目のサブフィールドの階調データコードは全て１に設定する。即ち、フレーム画像の階調データコードの１〜ｎ桁目は全て１である。
【００２９】
（２）階調データコードが１である最大のサブフィールドがｎであると、１〜ｎ番目のサブフィールドにおいて、階調データコードが０であるサブフィールドを除くその他のサブフィールドの階調データコードは１に設定する。即ち、フレーム画像の階調データコードの１〜ｎ桁目において、一つが０値であるほか、全て１である。
【００３０】
（３）階調データコードの最大のサブフィールドがｎであるとし、１〜ｎ番目のサブフィールドにおいて、二つの階調データコードが０であるサブフィールドを除くその他のサブフィールドの階調データコードは全て１に設定する。即ち、フレーム画像の階調データコードの１〜ｎ桁目は、二つが０値であるほか、全て１である。
【００３１】
その中、階調データコードが１であるサブフィールドは点灯状態のサブフィールドであり、階調データコードが０であるサブフィールドは非点灯状態のサブフィールドである。
【００３２】
ここで、階調レベルのコード選択の原則は、確定されたサブフィールドの重みの排列において、階調レベルは複数のコード形式を有し、先ず、（１）のコード形式に符合する階調データコードを選択する。存在しない場合、（２）のコード形式に符合する階調データコードを選択し、さもないと、（３）のコード形式に符合する階調データコードを選択する。三つとも存在しない場合、該階調レベルを上記の三つのコード形式を有する近隣の階調レベルに変換する。その変換形式は、階調レベル＝近隣の階調レベル＋階調変換誤差となる。例えば、サブフィールドの重みの排列が（１，２，４，８，１４，２２，３０，３５，３９，４６，５４）である場合、１２６の階調レベルには上記のコード形式の階調データコードが存在しないが、近隣の１２５の階調レベルは上記コード形式００１１０１１１１１１（サブフィールドの重みが高いものから低いものへ）を有すると、１２６の階調レベルを１２６＝１２５＋１に変換し、即ち、階調レベル１２６の階調データコードを１２５の階調データコードに変換し、それに階調変換の誤差を合わせる。階調検索テーブル（ｂ）を作成する形式に当たって、いずれの階調レベルもコード＋階調変換誤差である。上記のコード形式を有する階調レベルの階調変換誤差は０である。従って、階調検索テーブル（ｂ）において、１２６と１２５のコード形式は００１１０１１１１１１０１と００１１０１１１１１１００である。最後の２桁は変換誤差を示し、１２６の階調コードの誤差は０１であり、１２５の階調コードの誤差は００である。例えば、図４は、１２７の階調から１２８へと変化する際の人間の眼による積分結果の変化を示す曲線図である。
【００３３】
階調検索テーブル（ｃ）は、以下のようにエンコードした階調レベルを選択する：
（１）階調データコードが１である最大のサブフィールドがｎであると、１〜ｎ番目のサブフィールドの階調データコードは全て１に設定する。即ち、フレーム画像の階調データコードの１〜ｎ桁目が全て１である。
【００３４】
（２）階調データコードが１である最大のサブフィールドがｎであると、１〜ｎ番目のサブフィールドにおいて、階調データコードが０であるサブフィールドを除くその他のサブフィールドの階調データコードは全て１に設定する。即ち、フレーム画像の階調データコードの１〜ｎ桁目は一つが０値であるほか、全て１に設定される。
【００３５】
この中、階調データコードが１であるサブフィールドは点灯状態のサブフィールドであり、階調データコードが０であるサブフィールドは非点灯状態のサブフィールドである。
【００３６】
上記の選択原則から分かるように、階調検索テーブル（ｃ）は実質的に階調検索テーブル（ｂ）のサブセットである。従って、それらのコードの作表は類似する。しかし、階調変換の誤差値が大きくなるため、階調変換誤差のコード幅もそれに応じ、４ビットに拡張される。
【００３７】
Ｄ（ｆｒａｍｅ）計算値から選択しようとする検索テーブルを確定する。選択原則は、Ｄ（ｆｒａｍｅ）＝＜７であると、階調検索テーブル（ａ）を検索し、７＜Ｄ（ｆｒａｍｅ）＝＜２０であると、階調検索テーブル（ｂ）を検索し、Ｄ（ｆｒａｍｅ）＞  ２０であると、階調検索テーブル（ｃ）を検索する。
【００３８】
交流型プラズマディスプレイにおいて、静止画像を表示する場合、計算原理によると、Ｄ（ｆｒａｍｅ）が７以下であり、人間の眼が全画面ディスプレイパネルの画像の偽輪郭を感じる確率はかなり小さく、又は感じられる偽輪郭の現象は極めて弱いため識別することが困難となると、階調検索テーブル（ａ）を検索し；Ｄ（ｆｒａｍｅ）の計算値が７〜２０であり、人間の眼は動的偽輪郭を確実に感じることができると、階調検索テーブル（ｂ）を検索し；Ｄ（ｆｒａｍｅ）の計算値が２０を超えると、人間の眼が感じる動的偽輪郭ははっきりするので、階調検索テーブル（ｃ）を検索する。図２における閾値コンパレータは、上記の判断に用いられ、各フィールドの画像データの検索にどの階調検索テーブルを利用するかを確定する。
【００３９】
階調検索テーブル（ｂ）と（ｃ）に階調の変換誤差が存在するため、画像の階調が損失されることを避けるため、変換による階調誤差を、誤差拡散装置を介し、近隣のピクセルに拡散させる。拡散原理は、図５に示すとおりであり、拡散係数は、それぞれ１／１６、３／１６、５／１６、７／１６である。即ち、各ピクセルポイント（ｐｉｘｅｌ  ｐｏｉｎｔ）は、左上隅の各ピクセルポイントから１／１６、３／１６、５／１６、７／１６の比例で拡散された誤差を加算し、そして、自己の階調変換誤差を１／１６、３／１６、５／１６、７／１６の比例で右下隅のピクセルポイントに向けて拡散する。階調検索テーブル（ａ）は０〜２５５の階調レベルの正確なコードを有し、階調変換誤差が存在しないため、誤差拡散装置も備えていない。図１に示すように、画像階調データの階調検索を行う前に、先ず誤差を加算するが、誤差の加算原理は図６に示すとおりである。
【００４０】
上記の内容は本発明の好適な実施形態であり、本発明を不当に限定するものではない。本発明について多くの変形または変更が可能であることは当業者には容易に理解できるであろう。本発明の主旨を逸脱しない範囲内で行うあらゆる修正、同等置換、または改良等は、全て本発明の保護範囲に含まれるものとする。
【図１】
2011504609.tif 000004
【図２】
2011504609.tif 000005
【図３】
2011504609.tif 000006
【図４】
2011504609.tif 000007
【図５】
2011504609.tif 000008
【図６】
2011504609.tif 000009
【国際調査報告】
2011504609.tif 000010
2011504609.tif 000011
2011504609.tif 000012
2011504609.tif 000013
2011504609.tif 000014